(57)【特許請求の範囲】
【請求項１】
ブラケットにより筐体の取付部に固定される配線ユニットであって、ユニット本体の側面にケーブルを導入する配線導入口が形成されており、前記ユニット本体に対するブラケットの取付位置を変更することにより、前記配線導入口の開閉状態を選択可能としたことを特徴とする配線ユニット。
【請求項２】
前記配線導入口を開放状態としたとき、筐体の取付部より前方に配線導入口を位置させたことを特徴とする請求項１に記載の配線ユニット。
【請求項３】
前記配線導入口を閉塞状態としたとき、ブラケット前端の取付部を、ユニット本体の前端に形成された前板よりも前方に位置させることを可能としたことを特徴とする請求項１または２に記載の配線ユニット。
【請求項４】
前記ユニット本体は、本体部と、この本体部から引出し可能に形成され、ケーブルを収納する収納部からなり、この収納部に前記配線導入口を形成したことを特徴とする請求項１〜３の何れかに記載の配線ユニット。
【発明の詳細な説明】
【技術分野】
【０００１】
本発明は、ラック等の電気電子機器収納用箱の筐体の内部に固定され、光コードやＬＡＮケーブル等の配線を収納する配線ユニットに関するものである。
【背景技術】
【０００２】
ラック等の電気電子機器収納用箱には各種の電気電子機器が収納され、従ってこれらの機器への配線も必要となる。例えば内部に光接続箱が収納されたラックにおいては、多数の光コードをラックの内部で引き回し、光接続箱に接続する必要がある。また内部にサーバが収納された場合には、同様に多数のＬＡＮケーブル等を接続する必要がある。
【０００３】
一般にこれらのケーブルは、配線作業を容易に行うことができるように余長を持たせてある。このため配線完了時に配線の余長部分を収納するための配線ユニット（余長収納ユニット）を筐体の内部に取付けておき、余長部分を収納することが行なわれている。
【０００４】
例えば特許文献１には、ユニット本体の前面にケーブルを導入する配線導入口を形成した配線ユニットが開示されている。図１に示すように、このユニット本体１の前面には複数の開口部２が形成され、またそれらの開口部２，２間にはユニット本体１の前面に突出するコードリール３が設けられている。光コードやＬＡＮケーブル等のケーブル４はユニット本体１の前面左右方向から引き込まれてコードリール３で保持され、配線ユニットの前面で屈曲されて開口部２からユニット本体１の内部に引き込まれる。
【０００５】
しかし、左右方向からのケーブル４を前面の開口部２に通すには小さい曲率半径で屈曲させる必要があり、ケーブル４が太い場合には屈曲半径を小さくすることが困難であって配線が行ないにくいうえ、無理に屈曲させるとケーブル４を損傷させてしまう可能性があった。
【先行技術文献】
【特許文献】
【０００６】
【特許文献１】特開２０１６−２１００９号公報
【発明の概要】
【発明が解決しようとする課題】
【０００７】
従って本発明の目的は上記した従来の問題点を解決し、ケーブルが太い場合にも無理なくユニット本体の内部に引き込むことができる配線ユニットを提供することである。
【課題を解決するための手段】
【０００８】
上記の課題を解決するためになされた本発明は、ブラケットにより筐体の取付部に固定される配線ユニットであって、ユニット本体の側面にケーブルを導入する配線導入口が形成されており、前記ユニット本体に対するブラケットの取付位置を変更することにより、前記配線導入口の開閉状態を選択可能としたことを特徴とするものである。なお請求項２のように、前記配線導入口を開放状態としたとき、筐体の取付部より前方に配線導入口を位置させることができる。また請求項３のように、前記配線導入口を閉塞状態としたとき、ブラケット前端の取付部を、ユニット本体の前端に形成された前板よりも前方に位置させることができる。また請求項４のように、前記ユニット本体は、本体部と、この本体部から引出し可能に形成されケーブルを収納する収納部からなるものとし、この収納部に前記配線導入口を形成することができる。
【発明の効果】
【００１０】
本発明の配線ユニットは、ユニット本体の側面にケーブルを導入する配線導入口が形成されており、前記ユニット本体に対するブラケットの取付位置を変更することにより、前記配線導入口の開閉状態を選択可能としたものであるから、ケーブルを容易にユニット本体の内部に導入することができる。また、１つのユニットを前方からケーブルを引き回すユニット、あるいは側方からケーブルを引き回すユニットとして使用することができ、使用状況に応じた使い分けが可能となる。
【００１１】
なお、配線導入口を開放状態としたとき、筐体の取付部より前方に配線導入口を位置させた構造とすることにより、ユニット側方からのケーブルを曲率に余裕を持たせてユニット本体の内部に導入することができる。
【００１２】
また、前記配線導入口を閉塞状態としたとき、ブラケット前端の取付部を、ユニット本体の前端に形成された前板よりも前方に位置させた構造とすることにより、この前板にコードリールを取り付けたときに、筐体の扉とコードリールとの干渉を防止することができる。
【００１３】
また、ユニット本体を本体部と、この本体部から引出し可能に形成されたケーブルを収納する収納部とからなるものとすれば、引き出した収納部にケーブルを収納したうえ、本体部に戻すことにより、ケーブルを損傷することなく、容易にケーブルの収納を行なうことができる。
【図面の簡単な説明】
【００１５】
【図１】従来の配線収納ユニットを示す斜視図である。
【図２】本発明の配線ユニットを取付けた電気電子機器収納用箱の全体斜視図である。
【図３】配線ユニットと光接続箱を上下に隣接させて取付けた状態を示す斜視図である。
【図４】配線ユニットの側面からケーブルを引き込んだ状態を示す斜視図である。
【図５】配線ユニットの構造を示す斜視図である。
【図６】ブラケットを後退させた状態を示す斜視図である。
【図７】ブラケットを前進させた状態を示す斜視図である。
【図８】ブラケットを更に前進させた状態を示す斜視図である。
【図９】配線ユニットの様々な取付け状態を示す側面図である。
【図１０】配線ユニットの様々な取付け状態を示す斜視図である。
【発明を実施するための形態】
【００１６】
以下に本発明の実施形態を説明する。
図２は本発明の配線ユニットを取付けた電気電子機器収納用箱の全体斜視図であり、１０はフレーム構造の筐体、１１は筐体１０の内部のコーナー部付近に立設された４本のマウントアングルである。周知のようにマウントアングル１１には所定ピッチで多数の取付穴が形成されており、各種の機器が取付けられる。図２では機器の代表例として光接続箱１２と、本発明の配線ユニット１３とが図示されている。
【００１７】
図３はマウントアングル１１に本発明の配線ユニット１３と、光接続箱１２とを上下に隣接させて取付けた状態を示す斜視図である。配線ユニット１３はその両側面のブラケット１４を、筐体の取付部１５であるマウントアングル１１の前面にねじ止めすることによって固定されている。また光接続箱１２も同様に、筐体の取付部１５であるマウントアングル１１の前面に、ねじによって固定されている。なお、ブラケット１４の部分の詳細構造については後述する。
【００１８】
配線ユニット１３の前板１６には、従来と同様に開口部１７とコードリール１８とが複数設けられており、光接続箱１２の前面の接続部１９から引き出されたケーブル（光コードや光ケーブル）２０を直下の配線ユニット１３の前面の開口部１７に引き込むことができるようになっている。
【００１９】
しかし配線ユニット１３と光接続箱とが上下に離れている場合には、配線ユニット１３と光接続箱とを接続するケーブル２０は図４のようにマウントアングル１１に沿って垂直配置されることとなる。このようなケーブル２０を配線ユニット１３の前面の開口部１７から内部に引き込むためには、従来と同様に配線ユニット１３の前面においてケーブル２０を屈曲させねばならず、特にケーブル２０が太い場合には小さい曲率半径で屈曲させると、ケーブル２０を損傷するおそれがある。そこで本発明では、配線ユニット１３の側面に配線導入口２１を形成し、図４に示すように配線ユニット１３の側面からケーブル２０を内部に引き込むことができるようにした。
【００２０】
図５に配線ユニット１３の構造の詳細を示す。図５に示すように、配線ユニット１３のユニット本体２２は、筐体の取付部１５であるマウントアングル１１に固定される本体部２３と、この本体部２３から引出し可能に形成された収納部２４とからなる。これらは何れも浅箱形状であり、本体部２３の左右側壁２５の内側に収納部２４の左右側壁２６が接触しつつ、収納部２４を図５に示す引出し位置と図６に示す引込み位置との間をスライドさせることができるようになっている。
【００２１】
収納部２４はケーブル２０を収納する部分であり、その前板１６には前記した開口部１７とコードリール１８とが複数設けられている。前記した配線導入口２１は、収納部２４の左右側壁２６の前端とこの前板１６との間に形成されている。
【００２２】
図６、図７に示されるように、本体部２３の左右側壁２５の前部には、ブラケット１４が装着されている。ブラケット１４の前端部は外側に折り曲げられて配線ユニット１３側の取付部２７となっている。またこのブラケット１４は複数のねじ孔２８を備えており、図６に示すようにブラケット１４を後退させて、配線導入口２１をブラケット１４よりも前方にさせた位置と、図７に示すようにブラケット１４を前進させて、配線導入口２１をブラケット１４で閉鎖させた位置とを取ることができるようになっている。すなわち、ブラケット１４の取付位置を変更することにより、図６に示す配線導入口２１を開放した状態と、図７に示す配線導入口２１を閉鎖した状態とを選択できるようになっている。さらに図８に示すように、ブラケット１４の取付け位置を更に前方とし、ブラケット１４の前端の取付部２７が配線ユニット１３の前板１６よりもやや前方に位置するようにすることもできる。
【００２３】
このように構成された本発明の配線ユニット１３は、ブラケット１４の前端部の配線ユニット１３側の取付部２７を、筐体の取付部１５であるマウントアングル１１の前面にねじで固定して使用されるものであるが、上記したようにブラケット１４の位置を、図６、図７、図８に示した３通りに変更することができるので、それに応じて取付け状態が変化する。
【００２４】
図９、図１０はマウントアングル１１への取付け状態を示す側面図及び斜視図であり、最下段は図６に示したようにブラケット１４を後退させた場合を示す。この状態では配線導入口２１がマウントアングル１１の前面側に位置しており、図４に示すように配線ユニット１３の側面からケーブル２０を配線ユニット１３の収納部２４に導くことができる。
【００２５】
図９、図１０の最上段は、図７に示したようにブラケット１４を前進させて配線導入口２１を閉鎖した状態を示す。この状態では、配線ユニット１３の前板１６と配線ユニット１３側の取付部２７とが略同一面となる。この状態は、図３に示したように配線ユニット１３を光接続箱１２の直下に設置し、配線ユニット１３の前面の開口部１７からケーブル２０を引き込む場合に適している。この状態はケーブル２０の引き回しロスを小さくすることができる。
【００２６】
図９、図１０の中段は、図８に示したようにブラケット１４を更に前進させて配線導入口２１を閉鎖するとともに、ブラケット１４の前端の取付部２７を配線ユニット１３の前板１６よりもやや前方に位置させた状態を示す。この状態では、配線ユニット１３の前板１６はマウントアングル１１の前面よりも背面側（後側）に位置しており、前板１６に装着されたコードリール１８も後退した位置を取る。このようにすれば、コードリール１８が筐体１０の扉と干渉するおそれをなくすことができる。
【００２７】
以上に説明したように、本発明の配線ユニット１３は、ケーブル２０が太い場合にも側面の配線導入口２１から無理なくユニット本体２２の内部に引き込むことができるのみならず、ブラケット１４の取付位置を変更することによって、様々な取付け状態とすることもできる。
【符号の説明】
【００２８】
１  従来技術のユニット本体
２  開口部
３  コードリール
４  ケーブル
１０  筐体
１１  マウントアングル
１２  光接続箱
１３  配線ユニット
１４  ブラケット
１５  筐体の取付部
１６  前板
１７  開口部
１８  コードリール
１９  接続部
２０  ケーブル
２１  配線導入口
２２  ユニット本体
２３  本体部
２４  収納部
２５  本体部の左右側壁
２６  収納部の左右側壁
２７  配線ユニット側の取付部
２８  ねじ孔
【図１】
0006689524.tif 000002
【図２】
0006689524.tif 000003
【図３】
0006689524.tif 000004
【図４】
0006689524.tif 000005
【図５】
0006689524.tif 000006
【図６】
0006689524.tif 000007
【図７】
0006689524.tif 000008
【図８】
0006689524.tif 000009
【図９】
0006689524.tif 000010
【図１０】
0006689524.tif 000011